(57)【要約】      （修正有）【課題】簡易な構成で歩行時のつまずき等を抑制できる履物と履物用の芯部材とを提供する。【解決手段】従来の履物に変わって、足Ｌの上部に係止する履物上と、足Ｌの裏に接する上面と歩行面Ｓに接する底面とを形成する履物底２０と、を備え、前記履物底２０が弾性素材ででき上から見て足の裏の輪郭に対応する輪郭を持つ板状部材であって自由状態において側面から見て足Ｌの土踏まずより前方の部分に対応し先端部を上方へ向けて湾曲する前部と足Ｌの土踏まずより後方の部分に対応し後端部を上方へ向けて湾曲する後部とを持つ芯部材２２を有する。【選択図】図３
2012000337.tif 000002
【特許請求の範囲】
【請求項１】
履物であって、
足の上部に係止する履物上と、
足の裏に接する上面と歩行面に接する底面とを形成する履物底と、
を備え、
前記履物底が弾性素材ででき上から見て足の裏の輪郭に対応する輪郭を持つ板状部材であって自由状態において側面から見て足の土踏まずより前方の部分に対応し先端部を上方へ向けて湾曲する前部と足の土踏まずより後方の部分に対応し後端部を上方へ向けて湾曲する後部とを持つ芯部材を有する、
ことを特徴とする履物。
【請求項２】
前記履物底が足の裏に接する上面を形成する上部部材と歩行面に接する底面を形成する底部部材と前記芯部材とを有し、
前記芯部材が前記上部部材と前記底部部材とに挟まれる、
ことを特徴とする請求項１に記載の履物。
【請求項３】
前記履物底に足を乗せ体重をあずけると前記芯部材の前記前部と前記後部とが下がって、足の土踏まずに対応する中間部がせり上がる、
ことを特徴とする請求項２に記載の履物。
【請求項４】
前記芯部材が上面に設けられ突起した複数の小突起部を持ち、
前記小突起部が前記上部部材の下面に引っ掛かる、
ことを特徴とする請求項３に記載の履物。
【請求項５】
前記小突起部が前記板状部材の上面から上方へ向かって隆起する隆起部と前記隆起部の頂部から前記板状部材の上面に沿って延びる爪部とを持つ、
ことを特徴とする請求項４に記載の履物。
【請求項６】
前記履物底に足を乗せ体重をあずけると前記芯部材の前記前部と前記後部とが下がって、足の土踏まずに対応する中間部がせり上がる、
ことを特徴とする請求項１に記載の履物。
【請求項７】
前記芯部材が上面に設けられ突起した複数の小突起部を持ち、
前記小突起部が前記上部部材の下面に引っ掛かる、
ことを特徴とする請求項２に記載の履物。
【請求項８】
前記小突起部が前記板状部材の上面から上方へ向かって隆起する隆起部と前記隆起部の頂部から前記板状部材の上面に沿って延びる爪部とを持つ、
ことを特徴とする請求項７に記載の履物。
【請求項９】
足の上部に係止する履物上と足の裏に接する上面と歩行面に接する底面とを形成する履物底とを有する履物用の芯部材であって、
弾性素材ででき上から見て足の裏の輪郭に対応する輪郭を持つ板状部材であって自由状態において側面から見て足の土踏まずより前方の部分に対応し先端部を上方へ向けて湾曲する前部と足の土踏まずより後方の部分に対応し後端部を上方へ向けて湾曲する後部とを持つ、
ことを特徴とする履物用の芯部材。
【請求項１０】
前記履物底が足の裏に接する上面を形成する上部部材と歩行面に接する底面を形成する底部部材とを有し、
前記芯部材が前記上部部材と前記底部部材とに挟まれる、
ことを特徴とする請求項９に記載の履物用の芯部材。
【請求項１１】
前記履物底に足を乗せ体重をあずけると前記芯部材の前記前部と前記後部とが下がって、足の土踏まずに対応する中間部がせり上がる、
ことを特徴とする請求項１０に記載の履物。
【請求項１２】
前記芯部材が上面に設けられ突起した複数の小突起部を持ち、
前記小突起部が前記上部部材の下面に引っ掛かる、
ことを特徴とする請求項１１に記載の履物用の芯部材。
【請求項１３】
前記小突起部が前記板状部材の上面から上方へ向かって隆起する隆起部と前記隆起部の頂部から前記板状部材の上面に沿って延びる爪部とを持つ、
ことを特徴とする請求項１２に記載の履物用の芯部材。
【請求項１４】
前記履物底に足を乗せ体重をあずけると前記芯部材の前記前部と前記後部とが下がって、足の土踏まずに対応する中間部がせり上がる、
ことを特徴とする請求項９に記載の履物。
【請求項１５】
前記芯部材が上面に設けられ突起した複数の小突起部を持ち、
前記小突起部が前記上部部材の下面に引っ掛かる、
ことを特徴とする請求項１０に記載の履物用の芯部材。
【請求項１６】
前記小突起部が前記板状部材の上面から上方へ向かって隆起する隆起部と前記隆起部の頂部から前記板状部材の上面に沿って延びる爪部とを持つ、
ことを特徴とする請求項１５に記載の履物用の芯部材。
【発明の詳細な説明】
【技術分野】
【０００１】
本発明は、履物と履物用の芯部材に係る。特に、つまずき等を抑制できる履物と履物用の芯部材に関する。
【背景技術】
【０００２】
現在の高齢化社会に於て、老人の介護問題は、人口の小子化の問題と供に、将来のこの国の深刻な経済並びに社会問題を提起する現象として、速急に解決しなければならない問題である。
【０００３】
特に前者の老人介護の問題は、各家庭は勿論、国、自治体の社会並びに経済生活をも圧迫しつつあり、悲惨な個々の社会問題も、日々報ぜられるに至っている。
【０００４】
この様な現象を完全に防止する事は不可能であるとしても、各個人の日々の健康上の注意並びに努力に依っては、ある程度の防止は可能である。
例えば、２００３年４月の東京都の調査に依ると、要支援者を含む要介護者は、全国で約３５０万人居り、脳血管障害者２６．１％，高齢による衰弱１７．０％，転倒、骨折１２．４％，痴ホ１１．２％，関節疾患１０．６％，パ−キンソン病１６．５％，その他１６．５％の割合と成っている。
【０００５】
この様な要介護者の内、内蔵疾患、高齢による衰弱等の内患者を除き、各人の日頃の注意に依って要介護原因を防げる転倒、骨折等の外患者のみでも、約４４万人にも達しているのが実情である。
【０００６】
本来、斯の如き老人の転倒、骨折の原因は、脚力の衰弱と前傾姿勢に依る擦り足歩行によるものが多く、その為に老人の足筋力の強化、擦り足歩行に依る躓き転倒の防止用履物等を提唱し、提案して、これに依る要介護者の増加を防止せんとしているが、未だ顕著な効果を得ていないのが実情である。
本願発明も、この様な老人の躓き転倒防止用履物を提供して、転倒骨折等に依る要介護者、寝たきり病人の発生を可及的に防止する事を目的とするものである。
【０００７】
本来、高齢者特に老齢に達するとその筋力は衰弱し、上半身特に頭部の重量を支え難く、ややもすると前傾姿勢と成り、必然的に体重は爪先に掛かり、歩行時には、図１５（Ａ）の（ｆ１）で示す如く擦り足となり、その爪先部（Ｔ１）は、些細な突出物例えば敷居等に足を取られて転倒し、骨折して寝たきりとなる場合が頻繁に発生している。
【０００８】
この様な問題を解決せんとして、過去には、逆ヒ−ル靴底及び足袋底に所定材料のアッパ−部を接合し、そのトウボックスの幅を、ボ−ルジョイント部の幅より大きくすると共に、その踵部の傾斜を爪先方向え１０度以上傾け、更にトウスプリングの高さを２ｃｍ以上のものとした事を特徴とし、老人歩行の改善、歩行姿勢の矯正、腰痛、膝関節症、足関節症の治療に役立てんとする技術を提案される。
【０００９】
又、靴の爪先部に孔を開けるか、窓を設けるかして、足感覚を敏感にし、脳えの刺激を活性化して躓きを防止し、更に水虫、悪臭の発生をも防止し得る靴を提案される。
【００１０】
然しながら、これらの技術は、老人の前傾姿勢をそのままで上向かせる事は出来るかも知れないが、硬直化した前傾部分の矯正は不可能に近く、反り返らされた体形はかえって不安定と成り、又二重構造と成っている靴底とトウボックス部とは、新たな躓き部分を形成するとも考えられる。
また、水虫、悪臭の発生の原因を排除する事は出来ても、相当鈍感に成っている老人の爪先の運動感覚を、単なる通風位で復活させ得るとは、考え難い所である。
発明者は、この様な従来型の老人躓き防止用履物に替えて、高齢者の安全な歩行を約束し、その運動意欲を高め、いささかでも要介護者の発生を防止し、個人並びに社会の物心両面の負担を軽減せんと考えた。
【００１１】
発明者は、本願に関連して、図１６に示す履物を考案した。
図１６に示す履物は、履物上１０と履物底２０とで構成される。履物底２０は、上部部材２１と底部部材２２とで構成される。上部部材２１は、足の裏に接する上面を形成する。底部部材２２が、歩行面に接する底面を形成する。履物底２０は、爪先部が上に湾曲する様に、上部部材２１と底部部材２２とが縫われる。
爪先部が上に湾曲する様に上部部材２１と底部部材２２とを縫うには、熟練の技術を要求される。
上部部材２１と底部部材２２とを縫った後で、保管中に縫った糸が緩み、爪先部が上に湾曲しなくなることもあった。
従って、図１６に示す履物は、生産性を上げることが容易でない。
【発明の概要】
【発明が解決しようとする課題】
【００１２】
本発明は、以上に述べた問題点に鑑み案出されたもので、簡易な構成で歩行時のつまずき等を抑制できる履物と履物用の芯部材とを提供しようとする。
【課題を解決するための手段】
【００１３】
上記目的を達成するため、本発明に係る履物であって、足の上部に係止する履物上と、足の裏に接する上面と歩行面に接する底面とを形成する履物底と、を備え、前記履物底が弾性素材ででき上から見て足の裏の輪郭に対応する輪郭を持つ板状部材であって自由状態において側面から見て足の土踏まずより前方の部分に対応し先端部を上方へ向けて湾曲する前部と足の土踏まずより後方の部分に対応し後端部を上方へ向けて湾曲する後部とを持つ芯部材を有する、ものとした。
【００１４】
上記本発明の構成により、履物上が、足の上部に係止する。履物底が、足の裏に接する上面と歩行面に接する底面とを形成する。前記履物底の芯部材が、弾性素材ででき上から見て足の裏の輪郭に対応する輪郭を持つ板状部材であって、自由状態において側面から見て足の土踏まずより前方の部分に対応し先端部を上方へ向けて湾曲する前部と足の土踏まずより後方の部分に対応し後端部を上方へ向けて湾曲する後部とを持つ。
その結果、履物を履いて歩行するときに足を十分に上げて歩行するようになり、つまずきを抑制できる。
【００１５】
以下に、本発明の実施形態に係る履物を説明する。本発明は、以下に記載した実施形態のいずれか、またはそれらの中の二つ以上が組み合わされた態様を含む。
【００１６】
本発明の実施形態に係る履物は、前記履物底が足の裏に接する上面を形成する上部部材と歩行面に接する底面を形成する底部部材と前記芯部材とを有し、前記芯部材が前記上部部材と前記底部部材とに挟まれる。
上記の実施形態の構成により、前記履物底の上部部材が、足の裏に接する上面を形成する。前記履物底の底部部材が、歩行面に接する底面を形成する。前記芯部材が前記上部部材と前記底部部材とに挟まれる。
その結果、上部部材と芯部材と底部部材とが一体となって湾曲する。
【００１７】
本発明の実施形態に係る履物は、前記履物底に足を乗せ体重をあずけると前記芯部材の前記前部と前記後部とが下がって、足の土踏まずに対応する中間部がせり上がる。
上記の実施形態の構成により、前記履物底に足を乗せ体重をあずけると前記芯部材の前記前部と前記後部とが下がって、足の土踏まずに対応する中間部がせり上がる。
その結果、足をおろしたときを土踏まずの感触で知ることを出来る。
【００１８】
本発明の実施形態に係る履物は、前記芯部材が上面に設けられ突起した複数の小突起部を持ち、前記小突起部が前記上部部材の下面に引っ掛かる。
上記の実施形態の構成により、前記芯部材が上面に設けられ突起した複数の小突起部を持つ。前記小突起部が前記上部部材の下面に引っ掛かる。
その結果、足を上げ下ろしするのに伴って、芯部材と上部部材とが一体として屈曲する。
【００１９】
本発明の実施形態に係る履物は、前記小突起部が板状部材の上面から上方へ向かって隆起する隆起部と前記隆起部の頂部から前記板状部材の上面に沿って延びる爪部とを持つ。
上記の実施形態の構成により、前記小突起部の隆起部が板状部材の上面から上方へ向かって隆起する。前記小突起部の爪部が前記隆起部の頂部から前記板状部材の上面に沿って延びる。
その結果、爪部が上部部材の下面に引っ掛かり上部部材が前記芯部材の屈曲によく追随して屈曲する。
【００２０】
上記目的を達成するため、本発明に係る足の上部に係止する履物上と足の裏に接する上面と歩行面に接する底面とを形成する履物底とを有する履物用の芯部材であって、弾性素材ででき上から見て足の裏の輪郭に対応する輪郭を持つ板状部材であって自由状態において側面から見て足の土踏まずより前方の部分に対応し先端部を上方へ向けて湾曲する前部と足の土踏まずより後方の部分に対応し後端部を上方へ向けて湾曲する後部とを持つ、ものとした。
【００２１】
上記本発明の構成により、履物上が、足の上部に係止する。履物底が、足の裏に接する上面と歩行面に接する底面とを形成する。前記履物底の芯部材が、弾性素材ででき上から見て足の裏の輪郭に対応する輪郭を持つ板状部材であって、自由状態において側面から見て足の土踏まずより前方の部分に対応し先端部を上方へ向けて湾曲する前部と足の土踏まずより後方の部分に対応し後端部を上方へ向けて湾曲する後部とを持つ。
その結果、履物を履いて歩行するときに足を十分に上げて歩行するようになり、つまずきを抑制できる。
【００２２】
以下に、本発明の実施形態に係る履物用の芯部材を説明する。本発明は、以下に記載した実施形態のいずれか、またはそれらの中の二つ以上が組み合わされた態様を含む。
【００２３】
本発明の実施形態に係る履物用の芯部材は、前記履物底が足の裏に接する上面を形成する上部部材と歩行面に接する底面を形成する底部部材とを有し、前記芯部材が前記上部部材と前記底部部材とに挟まれる。
上記の実施形態の構成により  前記履物底の上部部材が、足の裏に接する上面を形成する。前記履物底の底部部材が、歩行面に接する底面を形成する。前記芯部材が前記上部部材と前記底部部材とに挟まれる。
その結果、上部部材と芯部材と底部部材とが一体となって湾曲する。
【００２４】
本発明の実施形態に係る履物用の芯部材は、前記履物底に足を乗せ体重をあずけると前記芯部材の前記前部と前記後部とが下がって、足の土踏まずに対応する中間部がせり上がる。
上記の実施形態の構成により、前記履物底に足を乗せ体重をあずけると前記芯部材の前記前部と前記後部とが下がって、足の土踏まずに対応する中間部がせり上がる。
その結果、足をおろしたときを土踏まずの感触で知ることを出来る。
【００２５】
本発明の実施形態に係る履物用の芯部材は、前記芯部材が上面に設けられ突起した複数の小突起部を持ち、前記小突起部が前記上部部材の下面に引っ掛かる。
上記の実施形態の構成により、前記芯部材が上面に設けられ突起した複数の小突起部を持つ。前記小突起部が前記上部部材の下面に引っ掛かる。
その結果、足を上げ下ろしするのに伴って、芯部材と上部部材とが一体として屈曲する。
【００２６】
本発明の実施形態に係る履物用の芯部材は、前記小突起部が板状部材の上面から上方へ向かって隆起する隆起部と前記隆起部の頂部から前記板状部材の上面に沿って延びる爪部とを持つ。
上記の実施形態の構成により、前記小突起部の隆起部が板状部材の上面から上方へ向かって隆起する。前記小突起部の爪部が前記隆起部の頂部から前記板状部材の上面に沿って延びる。
その結果、爪部が上部部材の下面に引っ掛かり上部部材が前記芯部材の屈曲によく追随して屈曲する。
【発明の効果】
【００２７】
以上説明したように、本発明に係る履物と履物用の芯部材は、その構成により、以下の効果を有する。
履物上が足の上部に係止し、足の裏と歩行面とに両面を接する履物底の芯部材が、弾性素材ででき上からみて足の裏の輪郭に対応する輪郭をもつ板状部材であって、自由状態において前部と後部とが湾曲するので、履物を履いて歩行するときに、歩行に従って芯部材が屈曲して足の裏を刺激するので、足を十分に上げて歩行するようになり、つまずきを抑制できる。
また、前記芯部材が足の裏に接する上面を形成する上部部材と歩行面に接する底面を形成する底部部材とに挟まれる様にするので、上部部材と芯部材と底部部材とが一体となって湾曲する。
また、前記履物底に足を乗せ体重をあずけると前記芯部材の前記前部と前記後部とが下がって、足の土踏まずに対応する中間部がせり上がる様にするで、足をおろしたときを土踏まずの感触で知ることを出来る。
また、前記芯部材の上面に設けられ突起した複数の小突起部が前記上部部材の下面に引っ掛かる様にしたので、足を上げ下ろしするのに伴って、芯部材と上部部材とが一体として屈曲する。
また、小突起部の爪部が隆起した隆起部の頂部から横に延びる様にしたので、爪部が上部部材の下面に引っ掛かり上部部材が前記芯部材の屈曲によく追随して屈曲する。
従って、車簡易な構成で歩行時のつまずき等を抑制できる履物と履物用の芯部材とを提供できる。
【図面の簡単な説明】
【００２８】
【図１】本発明の第一の実施形態に係る履物の概念図である。
【図２】本発明の第一の実施形態に係る履物の平面図、底面図である。
【図３】本発明の第一の実施形態に係る履物の側面断面図その１である。
【図４】本発明の第一の実施形態に係る履物の側面断面図その２である。
【図５】本発明の実施形態に係る芯部材の正面図である。
【図６】本発明の実施形態に係る芯部材の背面図である。
【図７】本発明の実施形態に係る芯部材の側面図である。
【図８】本発明の実施形態に係る芯部材の平面図である。
【図９】本発明の実施形態に係る芯部材の底面図である。
【図１０】本発明の実施形態に係る芯部材のＡ−Ａ線断面図である。
【図１１】本発明の実施形態に係る芯部材のＢ−Ｂ線断面図である。
【図１２】本発明の実施形態に係る芯部材の部分拡大図である。
【図１３】本発明の第二の実施形態に係る履物の側面断面図である。
【図１４】本発明の第三の実施形態に係る履物の側面断面図である。
【図１５】本発明の実施形態に係る履物の作用図である。
【図１６】従来構造のスリッパの側面図である。
【発明を実施するための形態】
【００２９】
以下、本発明を実施するための形態を、図面を参照して説明する。
図１は、本発明の実施形態に係る履物の概念図である。図２は、本発明の実施形態に係る履物の平面図、底面図である。図３は、本発明の実施形態に係る履物の側面断面図その１である。図４は、本発明の実施形態に係る履物の側面断面図その２である。図５は、本発明の実施形態に係る芯部材の正面図である。図６は、本発明の実施形態に係る芯部材の背面図である。図７は、本発明の実施形態に係る芯部材の側面図である。図８は、本発明の実施形態に係る芯部材の平面図である。図９は、本発明の実施形態に係る芯部材の底面図である。図１０は、本発明の実施形態に係る芯部材のＡ−Ａ線断面図である。図１１は、本発明の実施形態に係る芯部材のＢ−Ｂ線断面図である。図１２は、本発明の実施形態に係る芯部材の部分拡大図である。
図２におうて、理解の容易のために、一部の部材を切り欠いている。
【００３０】
本発明の第一の実施形態にかかる履物は、履物底２０と構成される。
例えば、本発明の実施形態にかかる履物は、履物上１０と履物底２０とで構成される。
【００３１】
履物上１０は、足に係止する部材である。
履物上１０は、甲部材１１で構成される。
甲部材１１は、足の甲に係止する部材である。
例えば、甲部材１１は、足の爪先を覆う部材である。
甲部材１１は、後述する履物底２０に繋がる。
【００３２】
履物底２０は、足の裏に接する上面と歩行面に接する底面とを形成する部材である。
履物底２０は、芯部材２２で構成される。
履物底２０は、上部部材２１と芯部材２２と底部部材２３とで構成されてもよい。
例えば、履物底２０は、上部部材２１と芯部材２２と底部部材２３と縁部材２４とで構成される。
【００３３】
上部部材２１は、足の裏に接する上面を形成する部材である。
【００３４】
芯部材２２は、弾性素材ででき上から見て足の裏の輪郭に対応する輪郭を持つ板状部材であって、自由状態において側面から見て足の土踏まずより前方の部分に対応し先端部を上方へ向けて湾曲する前部と足の土踏まずより後方の部分に対応し後端部を上方へ向けて湾曲する後部とを持つ部材である。
例えば、芯部材２２は、弾性素材ででき足の指先から踵までの長さに略一致する長さを持ち湾曲した輪郭の先端部と湾曲した輪郭の後端部とを持つ板状部材であって、自由状態において側面から見て足の土踏まずより前方の部分に対応し先端部を上方へ向けて湾曲する前部と足の土踏まずより後方の部分に対応し後端部を上方へ向けて湾曲する後部とを持つ部材である。
芯部材２２は、上部部材２１と底部部材２３とに挟まれてもよい。
例えば、芯部材２２の前部が、曲率半径Ｒ１で湾曲する。
例えば、芯部材２２の後部が、曲率半径Ｒ２で湾曲する。
【００３５】
芯部材２２は、本体部２２ａで構成されてもよい。
本体部２２ａは、弾性素材ででき上から見て足の裏の輪郭に対応する輪郭を持つ板状部材である。
例えば、本体部２２ａは、弾性素材ででき足の指先から踵までの長さに略一致する長さを持ち湾曲した輪郭の先端部と湾曲した輪郭の後端部とを持つ板状部材である。
本体部２２ａは、足の土踏まずより前方の部分に対応する前部と足の土踏まずより後方の部分に対応する後部と足の土踏まずに対応する中間部とをもつ。
前部と中間部と後部とが滑らかに連なる。
【００３６】
芯部材２２は、足を乗せ体重をあずけると芯部材２２の前部と後部とが下がって、足の土踏まずに対応する中間部がせり上がる様にしてもよい。
例えば、横から見て、中間部の曲げ剛性が前部の曲げ剛性より小さく、中間部の曲げ剛性が後部の曲げ剛性より小さい様にする。
例えば、芯部材２２は、以下の構造を持つ。
本体部２２ａの前部には、左右方向に沿って上下方向に波形にうねる様になった断面形状が前後方向に延びる。
本体部２２ａの前部には、上面に前後方向に沿って延びる複数の溝部と下面に前後方向に沿って延びる複数の盛り上り部とで出来る前部波形２２ｂが形成される。
本体部２２ａの後部には、左右方向に沿って上下方向に波形にうねる様になった断面形状が前後方向に延びる。
本体部２２ａの後部には、上面に前後方向に沿って延びる複数の溝部と下面に前後方向に沿って延びる複数の盛り上り部とで出来る後部波形２２ｃが形成される。
本体部２２ａの中間部には、左右方向に沿って平坦になった断面形状が前後方向に延びる。
【００３７】
芯部材２２は、本体部２２ａと複数の小突起部２２ｄとで構成されてもよい。
小突起部２２ｄは、上面に設けられ突起した部分である。
例えば、左右１対の小突起部２２ｄの複数の組が前後方向に並ぶ。
小突起部２２ｄは、隆起部２２ｅと爪部２２ｆとで構成されてもよい。
隆起部２２ｅは、板状部材の上面から上方へ向かって隆起する部分である。
爪部２２ｆは、隆起部２２ｅの頂部から板状部材の上面に沿って延びる。
前部に配される小突起部２２ｄの爪部２２ｆは、隆起部２２ｅの頂部から板状部材の上面に沿って前方向に延びる。
後部に配される小突起部２２ｄの爪部２２ｆは、隆起部２２ｅの頂部から板状部材の上面に沿って後方向に延びる。
この様にすると、複数の小突起部２２ｄが上部部材２１の下面に絡むので、上部部材２１と芯部材２２とが一体となって屈曲する。
【００３８】
底部部材２３は、歩行面Ｓに接する底面を形成する部材である。
【００３９】
縁部材２４は、重なった上部部材２１の縁と底部部際２３の縁とを一体として覆う部材である。
【００４０】
次に、本発明の第二の実施形態にかかる履物を、図を基に、説明する。
図１３は、本発明の第二の実施形態に係る履物の側面断面図である。
例えば、本発明の実施形態にかかる履物は、甲部材１１と履物底２０と踵部材３０で構成される。
【００４１】
履物底２０の構造は、第一の実施形態にかかるものと同じなので、説明を省略する。
履物上１０は、甲部材１１と踵部材１２とで構成される。
踵部材１２は、足の踵に係止する部材である。
踵部材１２は、両端部を各々に甲部材１１に連結した帯状の部材である。
【００４２】
次に、本発明の第三の実施形態にかかる履物を、図を基に、説明する。
図１４は、本発明の第三の実施形態に係る履物の側面断面図である。
履物が、靴下３０である。
靴下３０の裏面が足の裏に接する上面を形成する。
靴下３０の表面が、歩行面に接する底面を形成する。
【００４３】
また、本発明の実施形態に係る履物と履物用の芯部材は、その構成により、以下の効果を有する。
甲部材が足Ｌの甲に係止し、足Ｌの裏と歩行面Ｓとに両面を接する履物底２０の芯部材２２が、弾性素材ででき上からみて足Ｌの裏の輪郭に対応する輪郭をもつ板状部材であって、自由状態において前部と後部とが湾曲するので、履物を履いて歩行するときに、歩行に従って芯部材２２が屈曲して足の裏を刺激し、足を十分に上げて歩行するようになり、つまずきを抑制できる。
甲部材１１と踵部材１２とが足の甲に係止し、足の裏と歩行面とに両面を接する履物底２０の芯部材２２が、弾性素材ででき上からみて足の裏の輪郭に対応する輪郭をもつ板状部材であって、自由状態において前部と後部とが湾曲するので、履物を履いて歩行するときに、足を十分に上げて歩行するようになり、つまずきを抑制できる。
また、芯部材２２が足の裏に接する上面を形成する上部部材２１と歩行面に接する底面を形成する底部部材２３とに挟まれる様にするので、上部部材２１と芯部材２２と底部部材２３とが一体となって湾曲する。
また、履物底２０に足を乗せ体重をあずけると芯部材２２の前部と後部とが下がって、足の土踏まずに対応する中間部がせり上がる様にするで、足をおろしたときを土踏まずの感触で知ることを出来る。
また、芯部材２２の上面に設けられ突起した複数の小突起部２２ｄが上部部材２１の下面に引っ掛かる様にしたので、足を上げ下ろしするのに伴って、芯部材２２と上部部材２１とが一体として屈曲する。
また、小突起部２２ｄの爪部２２ｆが隆起した隆起部２２ｅの頂部から横に延びる様にしたので、爪部２２ｆが上部部材２１の下面に引っ掛かり上部部材２１が芯部材２２の屈曲によく追随して屈曲する。
また、芯部材２２を上部部材２１と底部部材２３との間に挟んで、上部部材２１と底部部材２３との縁を縫うと、爪先部と踵部を上に湾曲した形状をした履物を容易につくることをできる。
【００４４】
その結果、図１５（ｂ）に示すごとく、歩行時に爪先Ｔ２を上げることを意識しながら歩行するので、室内外を問わず躓きに依る転倒を防止することが出来、この転倒に依る骨折を防止し、延ては此が原因の寝たきり病人の発生を著しく減少させると同時に、転倒の恐怖の除去に依る使用者の安心感から、自立の意欲を向上させる付帯効果も合わせ持っている。
また、通常の履物の履物底に本願の芯部材を挿入すれば、通常の履物でもほぼ同程度の歩行効果を得られるので、特に室内でのスリッパ等に使用すれば極めて安価な此の種履物組合せ体を提供出来る利益がある。
躓き転倒も防止され、使用者も歩行に自信を持ち、筋力も増大して自立の道を着実に歩む事が出来るので、その社会的効果は多大と見做す事が出来る。
以下に好個の実施例を参照して本考案を説明する。
この様な構造並びに作用、効果を持つ履物は、製造上さして困難な技術でもなく、極く普通の材料で製造出来るので、年々増加し続ける高齢化社会の転倒骨折患者の救済の為に、極めて有意義な商品とみなす事が出来、かかる履物を利用する事に依って、ある程度の寝たきり患者、要介護患者を減少させ、家庭、自治体並びに国家の福祉、介護予算を減少させ得るので、その利用可能性は大なるものと推測される。
【００４５】
本発明は以上に述べた実施形態に限られるものではなく、発明の要旨を逸脱しない範囲で各種の変更が可能である。
いわゆるスリッパ状の履物に本願発明を適用する例で説明したがこれに限定されない。例えば、靴状の履物に本願発明を適用してもよい。
また、芯部材２２を上部部材２１と底部部材２３との間に挟んで、上部部材２１と底部部材２３との縁を縫う構造をすることを前提に説明したが、これに限定されない。例えば、芯部材２２と上部部材２１とを接着してもよいし、芯部材２２と底部部材２３とｗｐ接着してもよい。
【符号の説明】
【００４６】
Ｌ  足
Ｔ１、Ｔ２  爪先
Ｓ  歩行面
Ｒ１  曲率半径
Ｒ２  曲率半径
１０  履物上
１１  甲部材
１２  踵部材
２０  履物底
２１  上部部材
２２  芯部材
２２ａ  芯部材本体
２２ｂ  前部波形
２２ｃ  後部波形
２２ｄ  小突起部
２２ｅ  隆起部
２２ｆ  爪部
２３  底部部材
２４  縁部材
３０  靴下
【先行技術文献】
【特許文献】
【００４７】
【特許文献１】特開平０９−１７３１０３号
【特許文献２】特開２０１０−６３８４５号
【特許文献３】実用新案登録第３１０３３８９号
【特許文献４】意匠登録第１２８０５５３号
【特許文献５】実用新案登録第３０９５３８６号
【図１】
2012000337.tif 000003
【図２】
2012000337.tif 000004
【図３】
2012000337.tif 000005
【図４】
2012000337.tif 000006
【図５】
2012000337.tif 000007
【図６】
2012000337.tif 000008
【図７】
2012000337.tif 000009
【図８】
2012000337.tif 000010
【図９】
2012000337.tif 000011
【図１０】
2012000337.tif 000012
【図１１】
2012000337.tif 000013
【図１２】
2012000337.tif 000014
【図１３】
2012000337.tif 000015
【図１４】
2012000337.tif 000016
【図１５】
2012000337.tif 000017
【図１６】
2012000337.tif 000018